(57)【要約】【課題】十分に広い照射領域を備え、操作ノブ全体を照射することができるとともに、風向き調節板のいずれの箇所に操作ノブが移動していても、操作ノブの位置を正確に視認することができる、空調用吹出口の照明装置を提供することにある。【解決手段】ＥＬフィルム１は、風向き調節板４の下面に形成された凹部１５に組付けられる。ＥＬフィルム１の幅及び長さは、操作ノブ２と、操作ノブ２が組付けられた風向き調節板５の上面とを、広く照射するために十分な大きさとする。ＥＬフィルム１は、図示しない電源コードによって電力を供給され、操作ノブ２の上面Ｔ１と、操作ノブ２の左右側方に位置する風向き調節板５の上面Ｔ２、Ｔ３とを、広く照射する。【選択図】図２
2008201293.tif 000002
【特許請求の範囲】
【請求項１】
空調用吹出口の風向き調節板に、前記風向き調節板付近に位置する他の風向き調節板を照射する光源を設けたことを特徴とする、空調用吹出口の照明装置。
【請求項２】
請求項1に記載の照明装置において、前記光源は、前記他の風向き調節板に対向して配置されていることを特徴とする、前記照明装置。
【請求項３】
空調用吹出口の風向き調節板に、前記風向き調節板の角度を変化させる操作ノブを組付け、前記操作ノブの内部に光源を設け、前記操作ノブが組付けられた風向き調節板付近の他の風向き調節板が前記光源によって照射されるように、前記操作ノブに導光通路を形成したことを特徴とする、空調用吹出口の照明装置。
【請求項４】
空調用吹出口の風向き調節板に、前記風向き調節板付近に位置する他の風向き調節板を照射する光源を設け、前記他の風向き調節板に、風向き調節板の角度を変化させる操作ノブを取付け、前記操作ノブの内部に光源を設け、前記操作ノブが取り付けられた風向き調節板付近の更に他の風向き調節板が、前記操作ノブの内部の前記光源によって照射されるように、前記操作ノブに導光通路を形成したことを特徴とする、空調用吹出口の照明装置。
【発明の詳細な説明】
【技術分野】
【０００１】
本発明は、自動車等の車両の車室に開口する空調用吹出口の照明装置に関し、更に詳細に述べると、空調用吹出口に設けられた風向き調節板の位置や、風向き調節板の角度を変化させるための操作ノブの位置を、夜間等に目視可能にする照明装置に関するものである。
【背景技術】
【０００２】
自動車等の空調機器のエア吹出口に、空気の吹出し角度を上下方向に変更するための複数の風向き調節板と、空気の吹出し角度を左右方向に変更するための複数の風向き調節板を設ける場合がある。前者の風向き調節板は上下方向に一定間隔をおいて配置され、また、後者の風向き調節板は左右方向に一定間隔をおいて配置される。
一般に、前者の風向き調節板はエア吹出口の車室側（下流側）に配置され、上下方向に一体となって回転するようにリンク部材等によって回転自在に連結される。また、後者の風向き調節板は、前者の風向き調節板よりも上流側に配置され、左右方向に一体となって回転するようにリンク部材等によって回転自在に連結される。
そして、車室側の風向き調節板のうちの一つには、その風向き調節板に沿って左右方向に摺動自在に操作ノブが組付けられる。車室側の風向き調節板は、操作ノブを上下方向に移動させることによって、上下方向に一体となって回転する。操作ノブは、また、上流側の風向き調節板に係合し、操作ノブを左右方向に移動させることによって、上流側の風向き調節板は左右方向に一体となって回転するように構成されている。したがって、操作ノブを上下左右に移動させることにより、空調エアを任意の方向に供給することができる。
【０００３】
夜間走行等の場合に、運転者等が操作ノブの位置や風向き調節板の位置を目視で認識できるようにするため、操作ノブにＬＥＤ等の光源を設け、操作ノブの前端面に透光性を有するプラスチック材料からなる窓部を形成し、操作ノブの前端面に形成された窓部から漏れる光により、操作ノブを視認できるようにした風向調整羽根が提案されている（特開２００４−２５９６０号公報参照）。
また、空調用吹出口の風向き調節板（導風板）を光透過性材料で形成し、導風板を支持するハウジング等の適当箇所に設置した光源から導風板に光を供給し、導風板を発光させる車両空調用吹出口構造が提案されている（特開２００３−８９３１６号公報参照）。
【特許文献１】特開２００４−２５９６０号公報
【特許文献２】特開２００３−８９３１６号公報
【発明の開示】
【発明が解決しようとする課題】
【０００４】
しかしながら、操作ノブにＬＥＤ等の光源を設けた従来の風向調整羽根は、ＬＥＤ等の点光源を使用するため、照射範囲が狭い。このため、車室内で操作ノブの場所を認識することはできるが、操作ノブの位置から空調用吹出口の風向き調節板の姿勢や回転角度を推測することは困難である。また、操作ノブにＬＥＤを内蔵すると、操作ノブが大型化し、風向き調節板の形状や大きさ並びに設置枚数に制限を生じるおそれがある。
【０００５】
更に、導風板を光透過性材料で形成し、導風板を透過して来た光によって導風板を発光させる車両空調用吹出口構造は、導風板のハウジング等に取り付けた光源から導風板の発光端面まで光伝達通路を確保しなければならない。したがって、導風板の端面等の照射させる必要がある部分以外の部分の構成が複雑になるばかりでなく、光を照射させない部分を光不透過性材料で被覆する等の処理が必要である。また、端面の発光も光源から距離が離れると照度が低下するため、発光端面を均一に発光させるために高度なチューニング技術が必要になる。
【０００６】
本発明の目的は、十分に広い照射領域を備え、操作ノブ全体を照射することができるとともに、風向き調節板のいずれの箇所に操作ノブが移動していても、操作ノブの位置を正確に視認することができる、空調用吹出口の照明装置を提供することにある。
【０００７】
本発明の他の目的は、操作ノブを大型化することなく、操作ノブに内蔵可能な光源を備え、操作ノブ自体を発光させることができるばかりでなく、操作ノブが組付けられた風向き調節板付近の他の風向き調節板を照射することにより、発光した操作ノブと、他の風向き調節板の照射部分との位置関係から、操作ノブの上下方向への回転状態を知ることができる、空調用吹出口の照明装置を提供することにある。
【０００８】
本発明の更に他の目的は、風向き調節板上の操作ノブの位置から風向き調節板の左右方向への回転状態を知ることができると共に、操作ノブの発光部分と、操作ノブが組付けられた風向き調節板付近の他の風向き調節板の照射部分との位置関係から、風向き調節板の上下方向への回転状態を知ることができる、空調用吹出口の照明装置を提供することにある。
【課題を解決するための手段】
【０００９】
本発明の空調用吹出口の照明装置は、空調用吹出口の風向き調節板に、前記風向き調節板付近に位置する他の風向き調節板を照射する光源を設けたことを特徴とする。
【００１０】
本発明の空調用吹出口の照明装置は、また、空調用吹出口の風向き調節板に、前記風向き調節板付近に位置する他の風向き調節板を照射する光源を設け、前記光源を前記他の風向き調節板に対向して配置したことを特徴とする。
【００１１】
本発明の空調用吹出口の照明装置は、更に、空調用吹出口の風向き調節板に、前記風向き調節板の角度を変化させる操作ノブを組付け、前記操作ノブの内部に光源を設け、前記操作ノブが組付けられた風向き調節板付近の他の風向き調節板が、前記操作ノブの内部の前記光源によって照射されるように、前記操作ノブに導光通路を形成したことを特徴とする。
【００１２】
本発明の空調用吹出口の照明装置は、更に、空調用吹出口の風向き調節板に、前記風向き調節板付近に位置する他の風向き調節板を照射する光源を設け、前記他の風向き調節板に、風向き調節板の角度を変化させる操作ノブを組付け、前記操作ノブの内部に光源を設け、前記操作ノブが組付けられた風向き調節板付近の更に他の風向き調節板が、前記操作ノブの内部の前記光源によって照射されるように、前記操作ノブに導光通路を形成したことを特徴とする。
【００１３】
本発明の空調用吹出口の照明装置は、更に、空調用吹出口の風向き調節板に、前記風向き調節板付近に位置する他の風向き調節板を照射する光源を設け、前記光源を前記他の風向き調節板に対向して配置し、前記他の風向き調節板に、風向き調節板の角度を変化させる操作ノブを組付け、前記操作ノブの内部に光源を設け、前記操作ノブが組付けられた風向き調節板付近の更に他の風向き調節板が、前記操作ノブの内部の前記光源によって照射されるように、前記操作ノブに導光通路を形成したことを特徴とする。
【発明の効果】
【００１４】
本発明の空調用吹出口の照明装置によれば、風向き調節板のいずれの箇所に操作ノブが移動していても、操作ノブの位置を正確に視認することができるから、空調用吹出口の風向き調節板の左右方向への回転状態を容易に視認することができる。
【００１５】
本発明の空調用吹出口の照明装置によれば、発光した操作ノブと、操作ノブが組付けられた風向き調節板付近の他の風向き調節板の照射部分との位置関係から、操作ノブの上下方向への回転状態を知ることができるから、空調用吹出口の風向き調節板の上下方向への回転状態を容易に視認することができる。
【発明を実施するための最良の形態】
【００１６】
空調用吹出口の車室側（下流側）に、複数の風向き調節板を上下方向に所定間隔をおいて配置し、これらの風向き調節板をリンク部材によって連結することにより、これらの風向き調節板が上下方向に同時に回転するように構成する。次いで、空調用吹出口の反車室側（上流側）に、複数の風向き調節板を左右方向に所定間隔をおいて配置し、これらの風向き調節板をリンク部材によって連結することにより、これらの風向き調節板が左右方向に同時に回転するように構成する。
【００１７】
車室側（下流側）の風向き調節板のうちの一枚に操作ノブを組付ける。操作ノブはこの風向き調節板に沿って左右方向に摺動可能である。操作ノブを上下方向に移動させると、車室側（下流側）の複数の風向き調節板は上下方向に回転する。操作ノブは反車室側（上流側）の風向き調節板に係合し、操作ノブを左右方向に摺動させると、反車室側（上流側）の複数の風向き調節板が左右方向に同時に回転するように構成する。
【００１８】
操作ノブを組付けた車室側（下流側）の風向き調節板の直ぐ上に位置する上部風向き調節板の下面に凹部を形成し、この凹部に光源として機能する有機又は無機エレクトロ・ルミネッセンス・フィルム（以下、ＥＬフィルムという。）を固定する。ＥＬフィルムは、操作ノブと、操作ノブが組付けられた風向き調節板の上面とを、広く照射することのできる大きさとする。
【００１９】
また、操作ノブの内部にＥＬフィルムを内蔵し、このＥＬフィルムの発光によって、操作ノブの前端面（乗員側の端面）と、操作ノブが組付けられた風向き調節板の直ぐ下に位置する下部風向き調節板の上面とが照射されるように、操作ノブに導光通路を形成する。導光通路は、透光性樹脂材料で形成された導光板や、貫通孔によって形成することができる。
【実施例１】
【００２０】
図１及び２は、ＥＬフィルム１により、操作ノブ２と、操作ノブ２が組付けられた風向き調節板５の上面とを、広く照射するための構成を示す。
【００２１】
空調用吹出口Ａの車室側（下流側）には、風向き調節板３、４，５，６，７が上下方向に所定間隔をおいて取り付けられている。これらの風向き調節板３乃至７は、それそれの回転軸３ａ、４ａ、５ａ、６ａ、７ａを中心にして、上下方向（Ｂ−Ｃ方向）に回転可能に取り付けられている。風向き調節板３乃至７は、図示しないリンク部材を介して連結され、操作ノブ２をＢ−Ｃ方向に回転させると、風向き調節板３乃至７は同時にＢ−Ｃ方向に回転するように構成されている。
【００２２】
空調用吹出口Ａの反車室側（上流側）には、風向き調節板８、９、１０，１１，１２が左右方向に所定間隔をおいて取り付けられ、各風向き調節板８乃至１２は、回転支柱８ａ乃至１２ａ及び８ｂ乃至１２ｂによって、左右方向（Ｄ−Ｅ方向）に回転可能に支持されている。風向き調節板８乃至１２は、リンク部材１３を介して回転自在に連結されている。操作ノブ２には、風向き調節板８乃至１２の方向に延びる係合突起１４が形成され、係合突起１４は、中央の風向き調節板１０の係合部１０ｃと係合する。したがって、操作ノブ２を風向き調節板５に沿って摺動させると、操作ノブ２の係合突起１４が中央の風向き調節板１０を左右方向（Ｄ−Ｅ方向）に回転させ、これにより風向き調節板８、９、１０，１１，１２がＤ−Ｅ方向に回転することになる。前述のように、操作ノブ２をＢ−Ｃ方向に回転させると、風向き調節板３乃至７は同時にＢ−Ｃ方向に回転するが、このとき、操作ノブ２の係合突起１４は風向き調節板８、９、１０，１１，１２のいずれにも干渉しない。したがって、操作ノブ２が風向き調節板５の上のいずれの箇所にあっても、操作ノブ２をＢ−Ｃ方向に回転させることができる。
【００２３】
ＥＬフィルム１は、風向き調節板４の下面に形成された凹部１５に組付けられる。ＥＬフィルム１の幅及び長さは、操作ノブ２と、操作ノブ２が組付けられた風向き調節板５の上面とを、広く照射するために十分な大きさとする。ＥＬフィルム１は、図示しない電源コードによって電力を供給され、操作ノブ２の上面Ｔ１と、操作ノブ２の左右側方に位置する風向き調節板５の上面Ｔ２、Ｔ３とを、広く照射する。参照番号Ｌ１は、ＥＬフィルム１の照射領域を示す。これにより、操作ノブ２が風向き調整板５上のいずれの位置にあっても、操作ノブ２の位置を目視することが可能であると同時に、操作ノブ２が風向き調整板５のどの場所にあるかを知ることができる。したがって、操作ノブ２の位置を目視することにより、風向き調節板８、９、１０，１１，１２がどのように回転しているかを直ちに知ることができる。また、ＥＬフィルム１は広範囲に均一の光度で光を照射することができるから、空調用吹出口Ａのイルミネーションとしてデザイン性を向上させることができる。なお、図１及び２中、参照番号１６は空調用吹出口Ａを構成するダクトであり、参照番号１７はダクト１６の車室側開口端部に取り付けられたベセルを示す。
【実施例２】
【００２４】
図３及び４は、操作ノブ２の内部にＥＬフィルム１８を取り付けた実施例を示す。操作ノブ２は、光不透過性樹脂からなる上方部材２ａと下方部材２ｂの間に、ＥＬフィルム１８と、光透過性樹脂で形成された導光板１９とを挟んで一体化され、導光板１９の下部には貫通孔２０が形成されている。貫通孔２０は、風向き調節板６の上面に向かって開口している。導光板１９は、操作ノブ２の車室側の端面から突出し、操作ノブ２の車室側の端縁からその両側に湾曲して延在している（図３参照）。図３及び４中、図１及び２に使用した参照番号と同一の番号はこれらの図面中、共通の部材を示す。
【００２５】
図４において、ＥＬフィルム１８に通電すると、ＥＬフィルム１８が発光して導光板１９が照射され、操作ノブ２の車室側の端面から突出した導光板１９の表面Ｔ４が発光して、操作ノブ２の位置を目視することができる。また、導光板１９を通過した光は、操作ノブ２の貫通孔２０から風向き調節板６の上面Ｔ５を照射し、操作ノブ２の左右方向の位置を表示する。更に、操作ノブ２がＢ−Ｃ方向に回転し、風向き調節板３、４，５，６，７が傾斜している場合には、導光板１９の表面Ｔ４が上方又は下方に傾斜すると共に、ＥＬフィルム１８の照射領域Ｌ２も変化する。したがって、導光板１９の表面Ｔ４とＥＬフィルム１８の照射領域Ｌ２との関係から、風向き調節板３、４，５，６，７の傾斜状態を直ちに把握することができる。なお、ＥＬフィルム１８は操作ノブ２の内部に大きな設置スペースを要しないから、操作ノブ２が大型化することはなく、また、操作ノブ２のデザインに制約を生じることもない。
【産業上の利用可能性】
【００２６】
実施例１及び２を個々に説明したが、これらの実施例に記載した内容を同時に実施することにより、空調用吹出口の風向き調節板の操作性を更に向上させることができる。また、上記実施例では、空調用吹出口の車室側（下流側）の風向き調節板が横方向に延在し、反車室側（上流側）の風向き調節板が縦方向に延在するように配置したが、これとは逆に、車室側（下流側）の風向き調節板が縦方向に延在し、反車室側（上流側）の風向き調節板が横方向に延在するように配置し、縦方向に延在する車室側（下流側）の風向き調節板に光源を設けることもできる。
【図面の簡単な説明】
【００２７】
【図１】本発明の空調用吹出口の照明装置の一実施例の斜視図である。
【図２】図１の空調用吹出口の縦断面図である。
【図３】本発明の空調用吹出口の照明装置の他の実施例の斜視図である。
【図４】図３の空調用吹出口の縦断面図である。
【符号の説明】
【００２８】
１，１８    ＥＬフィルム
２    操作ノブ
３，４，５，６，７    風向き調節板
８，９，１０，１１，１２    風向き調節板
１９    導光板
２０    貫通孔
Ａ    空調用吹出口
Ｌ１，Ｌ２    ＥＬフィルムの照射領域
【図１】
2008201293.tif 000003
【図２】
2008201293.tif 000004
【図３】
2008201293.tif 000005
【図４】
2008201293.tif 000006